(57)【要約】【課題】本発明はリレーリンクのバウンダリーの指示及び確定方法、基地局を開示した。【解決手段】当該方法は、基地局がリレーノードに該当リレーノードの位置するリレーリンクのバウンダリーを指示し、リレーノードが基地局の指示により、そのリレーリンクのバウンダリーを確定することを含む。本発明により、リレーリンクのリソースの使用率を向上できる。【選択図】図３
2013524582.tif 000002
【特許請求の範囲】
【請求項１】
基地局がリレーノードに前記リレーノードの対応するリレーリンクのバウンダリーを指示し、
前記リレーノードが前記基地局の指示により、該リレーリンクのバウンダリーを確定する
ことを特徴とするリレーリンクのバウンダリーの指示方法。
【請求項２】
前記基地局がリレーノードに前記リレーノードの対応するリレーリンクのバウンダリーを指示することは、前記基地局が前記リレーノードに指示情報を送信し、前記指示情報により前記リレーリンクのバウンダリーを指示し、前記指示情報は前記リレーリンクのバウンダリーに対応する符号位置を指示することを含む
ことを特徴とする請求項１に記載の方法。
【請求項３】
前記基地局がリレーノードに前記リレーノードの対応するリレーリンクのバウンダリーを指示することは、前記基地局が前記リレーノードに指示情報を送信し、前記指示情報と前記リレーノードのアクセスリンクで使用される物理ダウンリンク制御チャネルPDCCHの符号数により、前記リレーリンクのバウンダリーを指示し、前記指示情報と前記PDCCH符号数はリレーリンクのバウンダリーに対応する符号位置を共同に指示することを含む
ことを特徴とする請求項１に記載の方法。
【請求項４】
前記基地局が前記リレーノードに前記指示情報を送信することは、前記基地局が前記指示情報を前記リレーリンクの上層シグナリングに含ませて前記リレーノードに送信することを含む
ことを特徴とする請求項２或いは請求項３に記載の方法。
【請求項５】
前記基地局が前記リレーノードに上層シグナリングを送信することは、
前記基地局がリレーリンクのダウンリンク物理ブロードキャストチャネルR-PBCHのパブリック情報により、前記上層シグナリングを送信すること、
前記基地局はリレーリンクのシステム情報ブロックR-SIBのパブリック情報により、前記上層シグナリングを送信すること、
前記基地局は無線リソース制御RRCシグナリングのパブリック情報により、前記上層シグナリングを送信すること、
前記基地局はRRC情報の専用情報により、前記上層シグナリングを送信すること、の中のいずれかを含む
ことを特徴とする請求項４に記載の方法。
【請求項６】
前記基地局が前記リレーノードに前記指示情報を送信することは、前記基地局が前記リレーリンクの下り方向への制御指示情報R-DCIに前記指示情報を載せ、前記リレーノードに送信することを含む
ことを特徴とする請求項２または請求項３に記載の方法。
【請求項７】
前記基地局が前記リレーノードに前記指示情報を送信することは、前記基地局が所定の物理リソースにおいて、前記リレーノードに前記指示情報を送信することを含む
ことを特徴とする請求項２または請求項３に記載の方法。
【請求項８】
前記基地局が所定の物理リソースにおいて、前記リレーノードに前記指示情報を送信することは、前記基地局が前記リレーリンクのPDCCHのスタート位置と同じである直交周波数分割多重OFDM符号内の予定された周波数リソースに指示情報を携帯することを含む
ことを特徴とする請求項７に記載の方法。
【請求項９】
前記予定された周波数リソースのマッピング方式は前記基地局からユーザ端末にかけるリンクの物理制御フォーマット指示チャネルPCFICH（Physical Control Format Indicator Channel）周波数リソースのマッピングにより決められ、または、前記指示情報を前記リレーリンクのPDCCHにおける使用可能な周波数リソース範囲内に平均的に分布させる
ことを特徴とする請求項８に記載の方法。
【請求項１０】
前記基地局が前記リレーノードに前記指示情報を送信することは、前記基地局が前記指示情報でリレーノードのノードIDにスクランブリングをかけ、スクランブリングされたノードIDを前記リレーノードに送信する
ことを特徴とする請求項２または請求項３に記載の方法。
【請求項１１】
前記基地局が前記指示情報を前記リレーノードのノードIDにスクランブリングをかけることは、前記基地局が前記指示情報を前記ノードIDのビットとXOR操作（演算）を行うことを含む
ことを特徴とする請求項１０に記載の方法。
【請求項１２】
前記基地局は前記リレーノードに前記指示情報を送信することは、前記基地局が前記リレーノードにリソースブロック、またはR-DCIを割り当てる際、前記リレーノードに送信されたリソースブロック、またはR-DCIは前記リソースブロックに対応するインデックス、または制御チャネルユニットCCE（Controlchannels elements）に対応するインデックスで前記指示情報を指示することを含む
ことを特徴とする請求項２または請求項３に記載の方法。
【請求項１３】
前記PDCCH符号数は基地局により配置され、前記方法はさらに、前記基地局が前記リレーノードに前記PDCCH符号数を指示するIDを送信することを含む
ことを特徴とする請求項３に記載の方法。
【請求項１４】
前記基地局は、前記リレーノードに前記IDを送信することは、
前記基地局は、R-PBCHのパブリック情報により、前記IDを送信すること、
前記基地局は、R-SIBのパブリック情報により、前記IDを送信すること、
前記基地局は、無線リソース制御RRCシグナリングのパブリック情報により、前記IDを送信すること、
前記基地局は、RRC情報の専用情報で前記IDを送信すること、の中のいずれかを含む
ことを特徴とする請求項１３に記載の方法。
【請求項１５】
前記PDCCH符号数は前記リレーノードにより配置され、前記方法はさらに、前記リレーノードが前記基地局に前記PDCCH符号数を指示するIDを提示することを含む
ことを特徴とする請求項３に記載の方法。
【請求項１６】
前記リレーノードが前記基地局に前記PDCCH符号数を指示するIDを提示することは、前記リレーノードがパブリック物理リソースブロックPRB（PhysicalResource Block）またはサービスパッケージの専用情報により、前記IDを送信することを含む
ことを特徴とする請求項１５に記載の方法。
【請求項１７】
前記リレーノードはパブリックPRBの専用情報により、前記IDを送信し、前記方法はさらに、前記リレーノードが、FDM、CDM、TDMの方式の中のいずれかを採用し、前記IDを載せるリソースを予め保留し、前記リレーノードが前記IDをサービスパッケージに載せて送信することは、前記リレーノードが前記IDを前記サービスパッケージの後部に載せて送信することと、前記リレーノードが前記IDをメディアアクセス制御MAC層に載せて送信することと、前記リレーノードが前記IDをRRCシグナリングに載せて送信すること、の中のいずれかを含む
ことを特徴とする請求項１６に記載の方法。
【請求項１８】
前記PDCCH符号数は前記リレーノードが前記リレーノードの送信アンテナ数により確定される
ことを特徴とする請求項３に記載の方法。
【請求項１９】
前記PDCCH符号数は予定されたアクセスリンクに使用されるPDCCH符号数であることを特徴とする請求項３に記載の方法。
【請求項２０】
前記PDCCH符号数は、前記リレーノードが時分割形式で固定されたアクセスリンクに使用されるPDCCH符号数であり、前記方法はさらに、前記リレーノートが同一または異なるサブフレームまたは無線フレームをスタート位置にし、一定の変更周期ごとに、アクセスリンクに使用されるPDCCH符号数を変更することを含む
ことを特徴とする請求項３に記載の方法。
【請求項２１】
２つ目のタイムスロットでは前記リレーリンクのバウンダリーの対応するスタート位置は２つ目のタイムスロットの1つ目のOFDM符号である
ことを特徴とする請求項１に記載の方法。
【請求項２２】
前記基地局は前記リレーノードに前記リレーノードの対応するリレーリンクのバウンダリーを指示することは、前記基地局が前記リレーノードと前記リレーリンクのバウンダリーの対応する符号位置を約定することを含む
ことを特徴とする請求項１に記載の方法。
【請求項２３】
リレーノードが基地局の指示により、または予め前記基地局と約定し、前記リレーリンクのバウンダリーを確定する
ことを特徴とするリレーリンクのバウンダリーの確定方法。
【請求項２４】
前記リレーノードが、予め前記基地局と約定することで前記リレーリンクのバウンダリーを確定することは、
前記リレーノードが前記基地局と前記リレーリンクのスタート位置は前記リレーリンクのPDCCHのスタート位置と同じであると約定し、
前記リレーノードは、前記PDCCHのスタート位置が前記リレーリンクのバウンダリーであると確定することを含む
ことを特徴とする請求項２３に記載の方法。
【請求項２５】
リレーノードの対応するリレーリンクのバウンダリーを確定するための確定モジュールと、
リレーノードに前記リレーリンクのバウンダリーを指示するための指示モジュールと、を含む
ことを特徴とする基地局。
【請求項２６】
前記指示モジュールは、
前記指示モジュールが前記リレーノードに指示情報を送信し、前記指示情報により前記リレーリンクのバウンダリーを指示する方式と、
前記指示モジュールが前記リレーノードに指示情報を送信し、前記指示情報と前記リレーノードのアクセスリンクで使用される物理ダウンリンク制御チャネル信道PDCCH符号数により前記リレーリンクのバウンダリーを指示する方式と、
前記指示モジュールが前記リレーノードと前記リレーリンクのバウンダリーに対応する符号位置を約定する方式と、の中のいずれかの方式により、前記リレーリンクのバウンダリーを指示する
ことを特徴とする請求項２５に記載の基地局。
【請求項２７】
基地局には：
前記リレーノードのアクセスリンクに使用されるPDCCH符号数を配置するための配置モジュールと、
前記配置モジュールで配置された前記PDCCH符号数を指示するIDを前記リレーノードに送信するための送信モジュールと、をさらに含む
ことを特徴とする請求項２６に記載の基地局。
【発明の詳細な説明】
【技術分野】
【０００１】
本発明は通信分野に関し、特に、リレーリンクバウンダリー指示方法、確定方法及び基地局に関する。
【背景技術】
【０００２】
図１に示すようにリレーノード（Relay Node、RNと呼ぶ）を含む長期的進化・発展、以下は（Long-Term Evolution advance，LTE-Aと呼ぶ）無線通信システムの中では、基地局（eNodeB，eNBと呼ぶ）とリレーノードとの間のリンクをリレーリンクまたはバックホールリンク（backhaullink）、リレーノードとUEとの間のリンクをアクセスリンク（access link）、eNodeBとUEとの間のリンクをダイレクトリンク（directlink）と称する。LTE-Aは直交周波数分割多重（Orthogonal Frequency Division Multiplexing、OFDMと呼ぶ）を基礎にし、OFDMシステムでは、時間周波数2次元というデータ形式を主にするが、LTE-Aにおいて、リソースブロック（ResourceBlock、RBと呼ぶ、（RBは、フィジカルリソースにマッピングされると、フィジカルリソースブロック（Physical Resource Block、PRBと呼ぶ））はタイムドメインで連続的な１つのスロットにあるOFDM符号、周波数ドメインでは、連続的な１２か２４個のサブキャリアと定義されるため、１つのRBは
2013524582.tif 000003
個のリソースエレメント（ResourceElement、REと呼ぶ）、ここで、
2013524582.tif 000004
は１つのスロット内のOFDM符号数を示し、
2013524582.tif 000005
はリソースブロックが周波数ドメインにおける連続的なサブキャリア数を示す。つまり、リソースブロックとは周波数方向において若干のサブキャリア（例えば、１２個のサブキャリア）を占用する、タイム方向において１つのタイムスロットにあるすべてのOFDM符号を占用する。リソースブロックとは１つのサブフレームにある２つのタイムスロットが対応するリソースブロックである。例えば、図２に示すフレーム構造では、１つの無線フレームには１０個のサブキャリアが含まれ、各サブキャリアには２つのタイムスロットが含まれる。ノーマルサイクリックプレフィックス（normalcyclic prefix）の場合、１つのスロットには７つのOFDM符号が含まれ、拡張サイクリックプレフィックス（extended cyclic prefix）の場合、１つのスロットには６つのOFDM符号が含める。
【０００３】
既存のインバンドーリレー（inband-relay）方法では、ユーザ端末（User Equipment、UEと呼ぶ）側の電力を節約させるため、システムは時分割多重（TimeDivision Multiplex、TDMと呼ぶ）方式により動作する。つまり、制御チャネルとサービスチャネルは時間において分かれるものである。例えば、図２に示すフレーム構造では、１つのサブフレームには１４個のOFDM符号が含まれ、前の１個または２個または３個または４個のOFDM符号を制御チャネルとし、後の１３個または１２個または１１個または１０個のOFDM符号はサービスチャネルとし、またはリレーリンクの制御チャネル、サービスチャネルとされる。送受信が妨害されるため、送/受信か受/送信の位置には、送信/受信や受信/送信のスイッチングのために保護間隔を必要とする。それから、eNBとRNで使用される物理ダウンリンク制御チャネル（PhysicalDownlink Control Channel、PDCCHと呼ぶ）の符号数は動的に変化するため、リレーノードでは制御情報のスタートポジーションをきちんと特定することが出来ない。関連技術の解決案としては：ダウンリンクリソースブロックの数が１０以下の場合、リレーリンクの物理ダウンリンク制御チャネル（Relaylink-Physical Downlink Control Channel，R-PDCCHと呼ぶ）は５つ目のOFDM符号から始まり、そうでなければ、R-PDCCHは４つ目のOFDM符号から始まり、またはR-PDCCHは全部４つ目か５つ目のOFDM符号から始まる。LTE/LTE-Aシステムでは、制御チャネルエレメンズ（Controlchannels elements、CCEと呼ぶ）はダウンリンク制御情報（Downlink Control Information、DCIと呼ぶ）またはリレーリンクのダウンリンク制御情報（Relaylink-DownlinkControl Information、R-DCIと呼ぶ）を積載するためである。
【０００４】
しかし、発明者の調査によると、関連技術ではR-PDCCHの開始位置以外のリレーリンクにおける使用可能リソースの開始位置（即ち、バウンダリー）に対し、限定していないため、リレーリンクのリソースの使用率が低い。例えば、リレーリンクの物理ダウンリンク共用チャネル（Relaylink-Physical Downlink Shared Channel、R-PDSCHと呼ぶ）では、関連技術の中ではR-PDSCHの開始位置を限定していないため、R-PDSCHの送信を確保するために、なるべくR-PDSCHの送信を後回しにする。例えば、R-PDCCHの後に送信すると、R-PDCCHの開始位置前のリレーリンクリソースが無駄になってしまう。共用チャネルはR8かR9かR10の端末データを載せると、前記共用チャネルはPDSCHである。共用チャネルはRNのデータを載せると、区別をつけるため、前記共用チャネルはR-PDSCHである。使用可能なPDSCHはR-PDSCHリソースは同じである。
【発明の概要】
【発明が解決しようとする課題】
【０００５】
本発明はリレーリンクのバウンダリーの指示方法を提供し、前記の問題を解決するすることを主な目的とする。
【課題を解決するための手段】
【０００６】
本発明の一方面によると、基地局がリレーノードに該リレーノードの対応するリレーリンクのバウンダリー（boundary）を指示し、リレーノードが基地局の指示により、そのリレーリンクのバウンダリーを確定することを含むリレーリンクのバウンダリーの指示方法を提供する。
【０００７】
本発明のもう一方面によると、リレーノードが基地局の指示またはあらかじめ基地局と約定することにより、該リレーノードの対応するリレーリンクのバウンダリーを確定することを含むリレーリンクのバウンダリーの確定方法を提供する。
【０００８】
本発明のもう一方面によると、基地局を提供した。該基地局には：確定モジュールと指示モジュールが含まれる。確定モジュールはリレーノードの対応するリレーリンクのバウンダリーを確定するのに用いられ、指示モジュールはリレーノードにリレーリンクのバウンダリーを指示するのに用いられる。
【発明の効果】
【０００９】
本発明を通し、基地局により、リレーノードのリレーリンクのバウンダリーを指示することで、リレーリンクにおけるすべての空きリソースを活用し、リレーリンクのリソースの使用率を高めることができる。
【図面の簡単な説明】
【００１０】
ここで説明する図面は本発明を理解するためのものであり、本発明の一部を構成し、本発明における実施例と共に本発明を解釈し、本発明を不当に限定するものではない。
【図１】関連技術に係るRNシステムの構成を示す図である。
【図２】関連技術に係るフレーム構造を示す図である。
【図３】本発明の実施例におけるリレーリンクのバウンダリーの指示方法のフローチャートである。
【図４】本発明の実施例に係る基地局の構造を示す図である。
【図５】本発明の実施例に係るR-PDSCH開始位置を示す図である。
【図６】本発明の実施例に係るもう一種のR-PDSCH開始位置を示す図である。
【図７】本発明の実施例に係る物理リソース固定、マッピングを示す図である。
【発明を実施するための形態】
【００１１】
以下、図例と実施例にあわせ、本発明を詳しく説明する。矛盾しない場合には、本出願における実施例及び実施例の特徴は互いに組み合わせることができる。
【００１２】
図３は本発明の実施例によるリレーリンクのバウンダリーに関する指示方法のフローチャートである。該方法には主に以下の手順（手順S302−手順S304）が含まれる。
【００１３】
手順S302、基地局がリレーノードにリレーリンクのバウンダリーを指示する。
【００１４】
即ち、基地局がリレーノードに対し、R-PDCCH開始位置以外のその他のリレーリンクにおける使用可能のリソースの開始位置を指示する。実際に実施する際、明示的に指示できれば、暗黙的に指示できる。次は基地局での指示方法について、更に詳しく説明する。
【００１５】
手順S304、リレーノードは基地局の指示によりリレーリンクのバウンダリーを確定する。
【００１６】
本発明実施例による前記の方法では、基地局からリレーノードにリレーリンクのバウンダリーを指示できる。この方法ではシグナリングのオーバーヘッドを節減でき、リレーリンクのリソースの利用率を高める。
【００１７】
実施過程において、基地局がリレーノードのリレーリンクのバウンダリーを指示する方法は、以下のような三つの方法を含むが、これに限定されない。
【００１８】
方法１、基地局よりリレーノードへ指示情報を送信する。この指示情報によりリレーノードに対応するリレーリンクのバウンダリーを指示する。例えば、この指示情報を用い、リレーリンクのバウンダリーの符号位置を指示できる。
【００１９】
この方法を通し、基地局はリレーノードの状態により、リレーノードにおけるリレーリンクのバウンダリーを直接指示し、リレーリンクのリソースの利用率を高めることができる。
【００２０】
方法２、基地局からリレーノードに指示情報を送信する。この指示情報をリレーノードのアクセスリンクで使用されているPDCCH符号数と合わせ、リレーリンクのバウンダリーを指示する。例えば、この指示情報は前記のPDCCH符号数と合わせ、リレーリンクのバウンダリーの符号位置を指示する。
【００２１】
この方法では、PDCCH符号数と合わせて指示することにより、指示情報に占用されたビットを減らし、リソースを節約できる。
【００２２】
方法３、基地局でリレーノードに対して、一定の符号位置を予め約定することでリレーリンクのバウンダリーを指定する。この方法では、基地局はリレーノードにおけるリレーリンクのバウンダリーを直接指示せず、リレーノードに一定の符号位置を採用することを暗示する。実際に実施する際、基地局はリレーノードと、リレーリンクにおける使用可能のリソースの開始位置がR-PDCCHの開始位置と同じであることを約束できる。この方法で指示すれば、基地局とリレーノード間には余計なシグナリングインタラクションが不要なため、シグナリングのオーバヘッドが減少できる。
【００２３】
前記の方法１と方法２で指示する場合、指示メッセージはいろんな形で送信できる。以下は送信方法について、記述する。
【００２４】
本発明の好適な実施例では、基地局がリレーノードに前記の指示情報を送信する方法の一つとして：基地局は上層シグナリング（例えば、ダウンバックホールリンクと呼ばれる開始符号索引Backhaul-DL-StartSymbol）を通じ、指示情報を送信できる。つまり、基地局は指示情報を上層シグナリングに含んで、リレーノードへ送信する。例えば、基地局は上層シグナリングにビットを追加することで、追加したビットで前記の指示情報を携帯することができる。この方法を採用すると、物理層プロトコルについての改正は回避できる。
【００２５】
本発明の好適な実施例では、基地局がリレーノードに前記の指示情報を送信するためのもう一つの方法として：基地局はリレーリンクのダウンリンク制御指示情報（Relay link-Downlink Control Information、R-DCIと呼ぶ）により、指示情報を送信する。即ち、基地局は指示情報をR-DCIに含め、リレーノードに送信する。例えば、基地局はR-DCIに一定数のビットを追加する。追加したビットで前記の指示情報を携帯することができる。この方法では、R-DCIに含まれている既存の指示情報を拡張することで、基地局とリレーノードの間で、シグナリングの増大は避けられる。
【００２６】
本発明の好適な実施例では、基地局がリレーノードに前記の指示情報を送信するのは、また、基地局は一定の物理リソースにより、指示情報を送信するという方法がある。実際に実施する際、基地局はR-PDCCH開始位置と同様なOFDM符号における固定周波数リソースで前記の指示情報を格納できる。固定周波数リソースのマッピング方法については、基地局からユーザ端末までのリンクの物理制御フォーマット指示チャネル（PhysicalControl Format Indicator Channel、PCFICHと呼ぶ）の周波数リソースのマッピング方法によって決められる。あるいは、R-PDCCHにおける使用可能の周波数リソースをロジック的な連続と見なし、指示情報を平均的にR-PDCCHにおける使用可能の周波数リソース内に分布する。この方法により、基地局はリレーノードと約定した物理リソースで指示情報を送信でき、既存シグナリングの変更が避けられる。
【００２７】
本発明の好適な実施例では、基地局はまたリレーノード標識（RN-ID）スクランブリング方法で、リレーノードに指示情報を送信できる。実際の実施においては、基地局でリレーノードにノード標識を通知したあと、リレーノードに制御メッセージを送信する際、基地局は指示情報で制御情報のRN-IDに対してスクランブリングを行う。そして、スクランブリングされたRN-IDを制御情報に携帯させ、リレーノードへ送信する。リレーノードはスクランブリングされたRN-IDを受信した後、指示情報を解析できる。例えば、基地局は指示情報をRN-IDの１つかいくつかのビット位とXOR演算を行い、その結果をスクランブリングされたRN-IDとする。例えば、もし指示情報は１ビットであれば、指示情報をRN-ID最後の１ビットとXOR演算を行う。演算結果となったRN-IDをスクランブリングされたRN-IDとし、制御情報に携帯させ、リレーノードへ送信する。この方法では、ビットを余計に追加することがなく、シグナリングのオーバーヘッドが減少される。
【００２８】
本発明の好適な実施例では、基地局はまたCCEインデックスあるいはリソースブロックインデックスで暗黙的に指示されたリレーリンクのバウンダリーを示すことができる。実際に実施する際、基地局はリレーノードにリソースブロックかR-DCIを割り当てる際、リレーノードへ送信したリソースブロックやR-DCIはリソースブロック対応のインデックスやCCE対応のインデックスで前記の指示情報を指示する。例えば、基地局はリレーノードで、リソースブロックインデックスが偶数の場合、指示情報の値は“0”となる、即ち、リレーリンクのバウンダリーの最初のOFDM符号を指示すると事前に設定できる。この方法では、基地局はビットを追加するこがとなく、シグナリングのオーバーヘッドを減少できる。
【００２９】
実施過程において、もし基地局が指示情報をアクセスリンクで使用されるPDCCH符号数と合わせて、リレーリンクのバウンダリーを指示すると、アクセスリンクで使用されるPDCCH符号数は基地局により配置され、またリレーノード経由で提示されたりすることができる。または、リレーノードは基地局と約定し、アクセスリンクで使用されるPDCCH符号数を固定でき、または、時分割形式でアクセスリンクで使用されるPDCCH符号数を固定することもできる。更に、リレーノードは自分のアンテナ数によってアクセスリンクで使用されるPDCCH符号数を決める方法もある。
【００３０】
実際に実施する際、もしアクセスリンクで使用されるPDCCH符号数は基地局によって配置されるものである場合、本発明の好適な実施例では、基地局はこのPDCCH符号数を指定するための標識をリレーノードへ送信することにより、リレーノードにリレーリンクのバウンダリーを確定させる。例えば、基地局は、以下の方法で、リレーノードへ前記のIDを送信できる：基地局はリレーリンクのダウンリンクブロードキャストインフォメーション（Relaylink-Downlink Broadcast Information、R-PBCHと呼ぶ）のパブリックインフォメーションで該IDを送信する。例えば、基地局はR-PBCHに１ビットのパブリックインフォメーションを載せ、IDを指示する。基地局はR-SIBのパブリックインフォメーションでIDを送信する。例えば、基地局はリレーリンクシステムインフォメーションブロッグに１ビットの（Relaylink-System Information Block、R-SIBと呼ぶ）パブリックインフォメーションを載せ、IDを指示する。基地局は無線リソース制御（RadioResource Control、RRCと呼ぶ）シグナリングのパブリックインフォメーションでIDを送信する。例えば、RRCに１ビットのパブリックインフォメーションを載せ、該IDを指示する。基地局はRRC専用情報で該IDを送信する、例えば、基地局はRRCに１ビットの専用情報を載せ、IDを指示する。実際に実施する際、基地局は“0”でアクセスリンクで使用されるPDCCH符号数が１であることを指示する。基地局が“1”の場合、アクセスリンクで使用されるPDCCH符号数が２であることを指示するが、その逆の場合でも可能である。
【００３１】
アクセスリンクで使用されるPDCCH符号数はリレーノードから基地局へ提示する場合、リレーノードはパブリックPRBまたはサービスパッケージでPDCCH符号数のIDを指示できる。実際の実施において、アクセスリンクで使用されるPDCCH符号数は通常、１または２である。したがって、パブリックPRBまたはサービスパッケージに１ビットの専用メッセージを載せ、アクセスリンクで使用されるPDCCH符号数を指示できる。例えば、該ビットの値が“0”であれば、PDCCH符号数が１であることを指示し、該ビット位の値が“1”であれば、PDCCH符号数が２であることを指示し、その逆のパターンも可能である。それで、アクセスリンクで使用されるPDCCH符号数のIDで占用されるリソースを減少する。
【００３２】
リレーノードはパブリックPRBに専用情報を携帯させることで、基地局にPDCCH符号数を指示するためのIDを提示すると、リレーノードはFDM、CDM、TDMの何れかまたはいずれの組み合わせの形式でこの専用情報を載せるリソースを予め用意しておく。リレーノードはサービスパッケージに専用情報を載せることで、基地局にPDCCH符号数を指示するためのIDを提示すると、このIDはビジネスパッケージの後部に載せ、送信でき、または、サービスパッケージのメディアアクセス制御（MediaAccess Control、MACと呼ぶ）層に載せて送信するか、または、RRCシグナリングに載せて送信するなどの方法がある。それで、リレーノードは必要に応じ、アクセスリンクで使用されるPDCCH符号数を提示する方法を柔軟に選択できる。
【００３３】
本発明の好適な実施例では、リレーノードがアクセスリンクで使用されるPDCCH符号数を固定すると、基地局はPDCCH符号数を配置する必要がない。または、リレーノードはPDCCH符号数を提示する必要がない。即ち、リレーノードは全部アクセスリンクで使用されるPDCCH符号数が１または２であると固定する。こうして、基地局とリレーノードの間のシグナリングのオーバーヘッドを減少できる。
【００３４】
本発明の好適な実施例では、リレーノードが時分割形式でアクセスリンクに使用されるPDCCH符号数を固定すると、リレーノードは同一または異なるサブフレームや無線フレームをスタートにする。固定された変更周期おきにアクセスリンクに使用されるPDCCH符号数を変更する。こうして、基地局とリレーノードの間のシグナリングのオーバーヘッドが減少される。
【００３５】
本発明の好適な実施例では、リレーノードは自分のアンテナ数により、アクセスリンクに使用されるPDCCH符号数を決めることができる。例えば、リレーノードが一本か二本の送信アンテナを使うと、アクセスリンクに使用されるPDCCH符号数は１である。リレーノードは四本の送信アンテナを使うとアクセスリンクが使用するPDCCH符号数は２である。この方法により、基地局とリレーノードの間ではシグナリングインタラクションでPDCCH符号数を互いに知らせる必要がなく、シグナリングのオーバーヘッドが減少できる。
【００３６】
前記のリレーリンクのバウンダリーの指示方法に対応し、本発明の実施例はまたリレーリンクのバウンダリーの確定方法を提供した。この方法には：リレーノードは基地局の指示あるいは基地局でリレーノードに対応したリレーリンクのバウンダリーを事前に約定することで確定する。例えば、リレーノードはリレーリンクの開始位置とリレーリンクのPDCCHの開始位置が同じである基地局と約定する。
【００３７】
前記のリレーリンクのバウンダリーの指示方法に対応し、本発明の実施例はまた基地局を提供した。図４はこの基地局の構造を示す図である。この基地局は本発明の実施例の提供した前記のリレーリンクのバウンダリーを実現するための指示方法に用いられ、この基地局には：確定モジュール４０と指示モジュール４２が含まれる。ここで、確定モジュール４０はリレーノードに対応するリレーリンクのバウンダリーを確定するためのものであり、指示モジュール４２はリレーノードにリレーリンクのバウンダリーを指示するためのものである。
【００３８】
前記基地局により、リレーノードにリレーリンクのバウンダリーを指示でき、リレーリンクのリソースの使用率を高めることができる。
【００３９】
実際に実施する際、指示モジュール４２は前記のリレーリンクのバウンダリーの指示方法で述べられた各方法を採用し、リレーリンクのバウンダリーを指示でき、例えば、指示モジュール４２は下記方法の１つを採用し、リレーリンクのバウンダリーを指示できる。
【００４０】
（１）指示モジュール４２は、リレーノードに指示情報を送信し、この指示情報により、リレーリンクのバウンダリーを指示する。
【００４１】
（２）指示モジュール４２は、リレーノードに指示情報を送信し、指示情報とアクセスリンクで使用されるPDCCH符号数で前記リレーノードのバウンダリーを指示する。
【００４２】
（３）指示モジュール４２は、リレーノードと、リレーリンクのバウンダリーに対応する符号位置を事前に約定する。前記の三つの指示形式により、基地局は実際の状況により、適切な形式を選択し、リレーノードを指示できる。
【００４３】
本発明の好適な実施例では、リレーノードのアクセスリンクで使用されるPDCCH符号数はリレーノードにより配置できれば、基地局によりも配置できる。したがって、本発明の好適な実施例の基地局には、また配置モジュールと送信モジュールがある。ここで、配置モジュールはリレーノードのアクセスリンクに使用されるPDCCH符号数を配置するためのものであり、送信モジュールは配置モジュールで配置したPDCCH符号数を指示するIDをリレーノードに送信するためのものである。
【００４４】
以下、具体的な実施例を用いて記述する。以下の実施例では、R-PDSCH符号開始位置を例に、説明する。
【００４５】
実施例１
本実施例では、リレーノードがアクセスリンクに使用されるPDCCH符号数を提示すると想定する。例えば、リレーノードはパブリックPRBに１ビットの専用メッセージを載せ、このビットで、アクセスリンクに使用されるPDCCH符号数を提示する。この時、基地局は各リレーノードの対応するアクセスリンクに使用されるPDCCH符号数が取得できる。
【００４６】
本実施例では、リレーノードの制御情報の開始位置に関する解決案はダウンリンクリソースブロックの数が１０以下であると想定した場合、R-PDCCHは５つ目のOFDM符号からスタートする。そうでなければ、R-PDCCHは４つ目のOFDM符号からスタートする。R-DCIを採用し、リレーリンクのバウンダリー（R-PDSCH符号スタート位置を例に）を直接指示した場合、R-DCIにはR-DLgrantとR-UL grantが含まれる。R-DL grantに２ビットの指示情報を載せることが好ましい。ここで、２ビットの指示情報はR-PDSCH符号スタート位置を指示することになる。
【００４７】
例えば、リレーノードは送信状態から受信状態へのスイッチング、またはアクセスリンクの制御領域からリレーリンクへのスイッチングによってスイッチング境界位置におけるOFDM符号に使用不能のものがある際に、図５に示すように、リレーリンクの２つ目のOFDM符号はリレーノードにとって、送信状態から受信状態へのスイッチング、またはアクセスリンクの制御領域からリレーリンクへのスイッチングを必要とされる。この場合、２ビットの指示情報の指示ルールは、テーブル１で示すとおりとなり、ここで、OFDM符号のシリアルナンバーは“0”から始まる。例えば、“#0”は１つ目のOFDM符号を表す。２ビットの“01”はR-PDSCHの符号スタート位置は３つ目のOFDM符号であることを示し、“10”はR-PDSCHの符号スタート位置は４つ目のOFDM符号であることを示し、“11”はR-PDSCHの符号スタート位置は５つ目のOFDM符号であることを示すことが好ましい。図５は２ビット“01”の場合を表す。２ビットの任意の組み合わせ状態（“00”、“01”、“10”、“11”）は全部R-PDSCH符号スタート位置を指示することに用いられることが好ましいが、以下では重複して記載しない。例えば、本実施例では、２ビット“00”はR-PDSCHの符号スタート位置は３つ目のOFDM符号であることを表す。“01”はR-PDSCHの符号スタート位置は４つ目のOFDM符号であることを表す。“10”はR-PDSCHの符号スタート位置は５つ目のOFDM符号であることを表す。図５は２ビット“00”の場合を表す。
【００４８】
【表１】
2013524582.tif 000006
【００４９】
例えば、リレーノードは送信状態から受信状態へのスイッチング、またはアクセスリンクの制御領域からリレーリンクへのスイッチングはスイッチング境界位置におけるOFDM符号は使用不能となることにならない場合、図６に示すように、リレーリンクの２つ目か３つ目のOFDM符号はリレーノードにとって、送信状態から受信状態へのスイッチング、またはアクセスリンクの制御領域からリレーリンクへのスイッチングに用いられないため、この場合、２ビットの指示情報の指示ルールについては、テーブル２に示すとおりとなり、ここでOFDM符号のシリアルナンバーは“0”から始まる。例えば、“#0”は１つ目のOFDM符号を示し、“N/A”はリレーノードが送信状態から受信状態へのスイッチング、またはアクセスリンクの制御領域からリレーリンクへのスイッチングにより、スイッチング境界位置におけるOFDM符号が使用不能とならないことを表す。ダウンリンクのリソースブロックの数が１０を超える場合、２ビット“01”はR-PDSCHの符号スタート位置が２つ目のOFDM符号であることを示し、“10”はR-PDSCHの符号スタート位置が３つ目のOFDM符号であることを示し、“11”はR-PDSCHの符号スタート位置が４つ目のOFDM符号であることを示すことが好ましい。ダウンリンクのリソースブロックの数が１０以下である場合、２ビット“01”はR-PDSCHの符号スタート位置は３つ目のOFDM符号であることを示し、“10”はR-PDSCHの符号スタート位置は４つ目のOFDM符号であることを示し、“11”はR-PDSCHの符号スタート位置は５つ目のOFDM符号であることを示すことが好ましい。図６はダウンリンクのリソースブロックの数が１０未満である場合、２ビット“10”の情況を表すものである。
【００５０】
【表２】
2013524582.tif 000007
【００５１】
実施例２
リレーノードはアクセスリンクに使用されるPDCCH符号数を提示すれば、リレーノードはサービスパーケジに１ビットの専用メッセージを格納したと想定した場合、基地局は各リレーノードに対応するアクセスリンクで使用されるPDCCH符号数を取得できる。
【００５２】
リレーノードの制御情報のスタート位置に関する解決案はR-PDCCHが４つ目か５つ目のOFDM符号（４つ目のOFDM符号を例にする）をスタートにすれば、R-DCI（Relaylink-Downlink Control Information）を採用し、リレーリンクのバウンダリーを直接指示する（R-PDSCHの符号スタート位置を例にする）。R-DCIにはR-DLgrantとR-UL grantが含まれる。R-DL grantに２ビットの指示情報を載せると、２ビットの指示情報がR-PDSCHの符号スタート位置を指示する。
【００５３】
例えば、リレーノードは送信状態から受信状態へのスイッチング、またはアクセスリンクの制御領域からリレーリンクへのスイッチングにより、スイッチング境界位置におけるOFDM符号に使用不能となるものがある場合、図５に示すように、リレーリンクの２つ目のOFDM符号はリレーノードにとっては、送信状態から受信状態へのスイッチング、またはアクセスリンクの制御領域からリレーリンクへのスイッチングが必要とされる。この場合、２ビットの指示情報の指示ルールはテーブル３に示すように、OFDM符号シリアルナンバーは“0”から始まる。例えば、“#0”は１つ目のOFDM符号を表す。２ビット“01”はR-PDSCHの符号スタート位置が３つ目のOFDM符号を表す。“10”はR-PDSCHの符号スタート位置が４つ目のOFDM符号を表す。図５は２ビット“01”の情況を表すものである。
【００５４】
【表３】
2013524582.tif 000008
【００５５】
例えば、リレーノードは送信状態から受信状態へのスイッチング、またはアクセスリンクの制御領域からリレーリンクへのスイッチングにより、スイッチング境界位置におけるOFDM符号は使用不能とならない場合、図６に示すように、リレーリンクの２つ目か３つ目のOFDM符号はリレーノードにとって、送信状態から受信状態へのスイッチング、またはアクセスリンクの制御領域からリレーリンクへのスイッチングに用いられないため、この場合、２ビット指示情報の指示ルールはテーブル４に示すように、OFDM符号シリアルナンバーは“0”から始まる。例えば、“#0”は１つ目のOFDM符号を表す。“N/A”はリレーノードが送信状態から受信状態へのスイッチングまたはアクセスリンクの制御領域からリレーリンクへのスイッチングにより、スイッチング境界位置におけるOFDM符号に使用不能となるものがないことを表す。ダウンリンクのリソースブロックの数が１０を超える場合、２ビット“01”はR-PDSCHの符号スタート位置は２つ目のOFDM符号であることを表し、“10”はR-PDSCHの符号スタート位置は３つ目のOFDM符号であることを表し、“11”はR-PDSCHの符号スタート位置は４つ目のOFDM符号であることを表すことが好ましい。ダウンリンクのリソースブロックの数が１０未満である場合、２ビット“01”は、R-PDSCHの符号スタート位置は３つ目のOFDM符号であることを表し、“10”は、R-PDSCHの符号スタート位置は４つ目のOFDM符号であることを表すことが好ましい。図６は、ダウンリンクのリソースブロックの数が１０未満の場合、２ビット“10”の情況を表すものである。
【００５６】
【表４】
2013524582.tif 000009
【００５７】
実施例３
本実施例では、リレーノードはアクセスリンクに使用されるPDCCH符号数を提示し、リレーノードはサービスパッケージに１ビット専用情報を格納したと想定した場合、基地局は各リレーノードの対応するアクセスリンクで使用されたPDCCH符号数を取得できる。
【００５８】
リレーノードの制御情報のスタート位置の解決案はR-PDCCHが４つ目のOFDM符号をスタートにすると想定する。RN-IDスクランブリング方法でリレーリンクのバウンダリー（R-PDSCHの符号スタート位置を例にする）を指示する。１ビットの指示情報はRN-IDの最下位（LSB）とXOR演算を行う。この場合、１ビットの指示情報はアクセスリンクに使用されるPDCCH符号数と合わせて、R-PDSCHの符号スタート位置を指示する。
【００５９】
例えば、リレーノードは送信状態から受信状態へのスイッチング、またはアクセスリンクの制御領域からリレーリンクへのスイッチングにより、スイッチング境界位置におけるOFDM符号に使用不能となるものがある場合、図５に示すように、リレーリンクの２つ目のOFDM符号はリレーノードにとっては、送信状態から受信状態へのスイッチング、またはアクセスリンクの制御領域からリレーリンクへのスイッチングを必要とする。この場合、１ビットの指示情報の指示ルールはテーブル５に示すように、OFDM符号シリアルナンバーは“0”から始まる。例えば、“#0”は１つ目のOFDM符号を表す。
【００６０】
１ビット“０”はアクセスリンクに使用されるPDCCH符号数“１”と合わせて、R-PDSCHの符号スタート位置は３つ目のOFDM符号であることを指示することが好ましい。
【００６１】
１ビット“１”はアクセスリンクに使用されるPDCCH符号数“１”と合わせて、R-PDSCHの符号スタート位置は４つ目のOFDM符号であることを指示することが好ましい。
【００６２】
１ビット“０”か“１”はアクセスリンクに使用されるPDCCH符号数“２”と合わせて、R-PDSCHの符号スタート位置は４つ目のOFDM符号であることを指示することが好ましい。つまり、この場合、指示情報と関係がないと考えて良い。
【００６３】
図５に１ビット“０”はアクセスリンクに使用されるPDCCH符号数“１”と合わせて指示する場合の状況を示した。
【００６４】
【表５】
2013524582.tif 000010
【００６５】
例えば、リレーノードは送信状態から受信状態にへのスイッチングまたはアクセスリンクの制御領域からリレーリンクへのスイッチングにより、スイッチング境界位置におけるOFDM符号に使用不能となるものがない場合、図６に示すように、リレーリンクの２つ目か３つ目のOFDM符号はリレーノードにとって、送信状態から受信状態へのスイッチングまたはアクセスリンクの制御領域からリレーリンクへのスイッチングに用いられないため、この場合、１ビット指示情報の指示ルールはテーブル６に示すように、OFDM符号シリアルナンバーは“０”から始まる。例えば、“#0”は１つ目のOFDM符号を表し、“N/A”はリレーノードは送信状態から受信状態へのスイッチング、またはアクセスリンクの制御領域からリレーリンクへのスイッチングにより、スイッチング境界位置におけるOFDM符号に使用不能となるものがないことを表す。
【００６６】
ダウンリンクのリソースブロックの数が１０を超える場合、
１ビット“０”はアクセスリンクに使用されるPDCCH符号数“１”と合わせて、R-PDSCHの符号スタート位置は３つ目か２つ目のOFDM符号であることを指示することが好ましい。
【００６７】
１ビット“１”はアクセスリンクに使用されるPDCCH符号数“１”と合わせて、R-PDSCHの符号スタート位置は４つ目のOFDM符号であることを指示することが好ましい。
【００６８】
１ビット“０”はアクセスリンクに使用されるPDCCH符号数“２”と合わせて、R-PDSCHの符号スタート位置は３つ目のOFDM符号であることを指示することが好ましい。
【００６９】
１ビット“１”はアクセスリンクに使用されるPDCCH符号数“２”と合わせて、R-PDSCHの符号スタート位置は４つ目のOFDM符号であることを指示することが好ましい。
【００７０】
ダウンリンクのリソースブロックの数が１０以下である場合、
１ビット“０”はアクセスリンクに使用されるPDCCH符号数“１”と合わせて、R-PDSCHの符号スタート位置は３つ目のOFDM符号であることを指示することが好ましい。
【００７１】
１ビット“１”はアクセスリンクに使用されるPDCCH符号数“１”と合わせて、R-PDSCHの符号スタート位置は４つ目のOFDM符号であることを指示することが好ましい。
【００７２】
１ビット“０”はアクセスリンクに使用されるPDCCH符号数“２”と合わせて、R-PDSCHの符号スタート位置は３つ目のOFDM符号であることを指示することが好ましい。
【００７３】
１ビット“１”はアクセスリンクに使用されるPDCCH符号数“２”と合わせて、R-PDSCHの符号スタート位置は４つ目のOFDM符号であることを指示することが好ましい。
【００７４】
図６に示すはダウンリンクのリソースブロックの数が１０未満である場合に、１ビット“１”はアクセスリンクに使用されるPDCCH符号数“１”と合わせて指示する。
【００７５】
【表６】
2013524582.tif 000011
【００７６】
実施例４
本実施例では、あるリソースブロックにR-PDCCHが含まれると、このリソースブロックにR-PDSCHを携帯しようとする場合、R-PDSCHのスタート位置は実施例の一、二、三、九の定義と同じであり、サブフレームのタイム方向における残りのOFDM符号にもR-PDSCHが格納されていれば、この際、残りのOFDM符号に格納されているR-PDSCHはR-PDCCH終点位置とつながっている（図５に示すように、
2013524582.tif 000012
と
2013524582.tif 000013
はタイム方向ではつながっている）。残りのOFDM符号に格納されたR-PDSCHに対応するスタート位置は２つ目のスロットの１つ目のOFDM符号であることが好ましい。
【００７７】
リソースブロックにR-PDCCHが含まれると、このリソースブロックにR-PDSCHが載せられていなければ、この際、R-PDSCHのスタート位置は実施例の一、二、三、九の定義と違う。もしサブフレームのタイム方向における残りのOFDM符号にR-PDSCHが載せられている場合、R-PDSCHはR-PDCCH終点位置とつながっている（図５に示すように、
2013524582.tif 000014
と
2013524582.tif 000015
はタイム方向ではつながっている）。残りのOFDM符号に載せられているR-PDSCHに対応するスタート位置は２つ目のスロットの１つ目のOFDM符号である。
【００７８】
リソースブロックにR-PDCCHが含まれないと、このリソースブロックにR-PDSCHが載せられていれば、この際、R-PDSCHのスタート位置は実施例一、二、三、九の定義と同じである。
【００７９】
実施例５
本実施例では、リレーノードの時分割形式によりアクセスリンクに使用されるPDCCH符号数を固定すると想定した場合、システムにはRNが6つあり、変更周期は10msの整数倍とする。例えば、40ms。スタートポイントが同じである場合、例えば、RN1、RN2、RN3は#0無線フレーム#0サブフレームのスタート位置でアクセスリンクに使用されるPDCCH符号数を“１”に設定する。RN4、RN5、RN6は#0無線フレーム#0サブフレームでアクセスリンクに使用されるPDCCH符号数を“２”に設定する。周期を40msに変更すると、RN1、RN2、RN3は#4無線フレーム#0サブフレームのスタート位置でアクセスリンクに使用されるPDCCH符号数を“２”に設定する。RN4、RN5、RN6は#4無線フレーム#0サブフレームのスタートでアクセスリンクに使用されるPDCCH符号数を“１”に設定する。
【００８０】
スタート位置が異なる場合、例えば、RN1、RN2、RN3は#0無線フレーム#0サブフレームのスタート位置でアクセスリンクに使用されるPDCCH符号数を“１”に設定する。RN4、RN5、RN6は#0無線フレーム#0サブフレームでアクセスリンクに使用されるPDCCH符号数を“２”に設定する。周期を40msに変更すると、RN1、RN2、RN3は#4無線フレーム#0サブフレームのスタート位置でアクセスリンクに使用されるPDCCH符号数を“２”に設定する。RN4、RN5、RN6は#4無線フレーム#5サブフレームのスタートでアクセスリンクに使用されるPDCCH符号数を“１”に設定する。 
【００８１】
実施例６
本実施例では、指示情報は（3、2）か（3、1）でコーディングを繰り返した後、オリジナル情報を付加するというコーディング方法を採用できる。例えば、指示情報は２ビット“01”は（3、2）でコーディングされ、“011”となる。ここで、何回もコーディングを繰り返すと、重複するコードが取得できる。例えば、１０回繰り返されると、重複するコードは“011011011011011011011011011011”となり、ここでオリジナル情報を2ビット付加すると、“01101101101101101101101101101101”となる。このように、“10”を（3、2）でコーディングし、“101”となり、“11”を（3、2）でコーディングし、“110”となる。指示情報は１ビット“0”であれば、（3、1）でコーディングし、“011”となり、９回繰り返されると、重複するコード、“011011011011011011011011011”となる。ここでオリジナル情報の１ビットを付加すると、“0110110110110110110110110110”となる。同じく、“１”を（3、1）でコーディングすると、“101”となる。
【００８２】
コーディング後、ビットはQPSK、16QAM、64QAM、256QAMなどの変調方式で行うことができる。変調終了後、対応する物理リソースへマッピングする。または、マルチアンテナの処理を経て、対応する物理リソースへマッピングする。
【００８３】
リレーノードの制御情報のスタート位置の解決案はR-PDCCHが４つ目か５つ目のOFDM符号（4つ目のOFDM符号を例にする）をスタートにすると想定した場合、基地局は物理リソースを固定する方式で指示情報を格納する際、指示情報はタイム方向で４つ目のOFDM符号にマッピングされ、周波数方向では、PCFICHに対応する周波数リソースにマッピングされる。図７に示すように、
2013524582.tif 000016
と
2013524582.tif 000017
は周波数リソースが同じである。あるいは、R-PDCCHにおける使用可能のリソースをロジック的連続と見なし、指示情報は使用可能の周波数リソース範囲内に平均的に分布される。例えば、R-PDCCHにおけるリソースブロックは１６とすれば、指示情報はこの１６のリソースブロックに平均的に分布される。指示情報は使用可能のリソースブロック、１つ目、５つ目、９つ目、１３つ目にマッピングされると、これらの使用可能のリソースブロックで１６のリソースブロックを平均的に分布させる。
【００８４】
実施例７
本実施例では、基地局はRNとR-PDSCHのスタート位置を約定する。つまり、RNでR-PDSCHのOFDM符号スタート位置を固定する。
【００８５】
固定されたR-PDSCHのスタートOFDM符号はR-PDCCHのスタートOFDM符号と同じであり、例えば、ダウンリンクのリソースブロックの数が１０以下である場合、R-PDCCHは５つ目のOFDM符号からスタートし、そうでなければ、R-PDCCHは４つ目のOFDM符号をスタートにし、また、ダウンリンクのリソースブロックの数が１０未満である場合、R-PDSCHは５つ目のOFDM符号をスタートにし、そうでなければ、R-PDSCHは４つ目のOFDM符号をスタートにすることが好ましい。例えば、R-PDCCHは全部４つ目のOFDM符号をスタートにする場合、R-PDSCHも全部４つ目のOFDM符号をスタートにする。R-PDCCHは全部５つ目のOFDM符号をスタートにすれば、R-PDSCHも全部５つ目のOFDM符号をスタートにする。
【００８６】
固定されたR-PDSCHのスタートOFDM符号はR-PDCCHのスタートOFDM符号と異なり、例えば、ダウンリンクのリソースブロックの数が１０未満である場合、R-PDCCHは５つ目のOFDM符号をスタートにし、そうでなければ、R-PDCCHは４つ目のOFDM符号をスタートにし、この際、R-PDSCHは全部４つ目か５つ目のOFDM符号をスタートにすることが好ましい。例えば、R-PDCCHは全部４つ目のOFDM符号をスタートにすれば、ダウンリンクのリソースブロックの数が１０未満である場合、R-PDSCHは５つ目のOFDM符号をスタートにし、そうでなければ、R-PDSCHは４つ目のOFDM符号をスタートにする。または、R-PDSCHは全部５つ目のOFDM符号をスタートにする。例えば、R-PDCCHは全部５つ目のOFDM符号をスタートにすれば、ダウンリンクのリソースブロックの数が１０未満である場合、R-PDSCHは５つ目のOFDM符号をスタートにする。そうでなければ、R-PDSCHは４つ目のOFDM符号をスタートにする。または、R-PDSCHは全部４つ目のOFDM符号をスタートにする。
【００８７】
実施例８
本実施例では、基地局は暗黙的にR-PDSCHのスタートOFDM符号を指示する。例えば、CCEインデックスかリソースブロックインデックスで指示する。
【００８８】
例えば、RNに対応するCCEインデックス番号または下り方向に割り当てられたリソースブロックのインデックス番号、または上り方向に割り当てられたリソースブロックのインデックス番号がモジュール４かモジュール３かモジュール２の操作によりR-PDSCHのスタートOFDM符号位置が取得する。例えば、システムに２ビット（４種類のR-PDSCHのスタート位置）直接指示または共同指示が必要な場合、モジュール４の操作を行う。システムに２ビット（３種類のR-PDSCHのスタート位置）直接指示または共同指示が必要な場合、モジュール３の操作を行い、仮にシステムには１ビット（２種類のR-PDSCHのスタート位置）直接指示または共同指示が必要な場合、モジュール２の操作を行う。仮にこの場合、合計３種類のR-PDSCHのスタート位置があるとすれば、RNのCCE_index=5、mod（CCE_index、3）=2、２ビット方式の“１１”の意味に対応する。そこで、モジュール演算の値は“０”、２ビットの“０１”に対応する。モジュール演算の値は“１”、２ビットの“１０”に対応する。仮にここで合計２種類のR-PDSCHのスタート位置があるとすれば、RNのDL_PRB_index=2、mod（DL_PRB_index，2）=0、１ビットの“０”に対応する。同じく、モジュール演算の値は“１”、１ビットの“１”に対応する。
【００８９】
実施例９
本実施例では、リレーノードの制御情報のスタート位置の解決案はR-PDCCHは全部４つ目か５つ目のOFDM符号（４つ目のOFDM符号を例にする）をスタートにすると想定した場合、上層シグナリング（例えば、下り方向のバックホールリンクのスタート符号Backhaul-DL-StartSymbol）で、リレーリンクのバウンダリー（R-PDSCHのスタート符合位置を例に）を指示する。前記の上層シグナリングに２ビットの指示情報を格納し、この際、２ビットの指示情報がR-PDSCHの符号スタート位置を指示することが好ましい。前記の上層シグナリングの送信方法は、R-PBCHのパブリック情報で前記の上層シグナリングを送信する方式、R-SIBのパブリック情報で前記の上層シグナリングを送信する方式、無線リソース制御RRCシグナリングのパブリック情報で前記の上層シグナリングを送信する方式の中のいずれかを含むことが好ましい。RRC情報の専用メッセージで前記上層シグナリングを送信する。
【００９０】
例えば、リレーノードは送信状態から受信状態へのスイッチング、またはアクセスリンクの制御領域からリレーリンクへのスイッチングにより、スイッチング境界位置におけるOFDM符号に使用不能となるものがある場合、図５に示すように、リレーリンクの２つ目のOFDM符号はリレーノードにとっては、送信状態から受信状態へのスイッチング、またはアクセスリンクの制御領域からリレーリンクへのスイッチングを必要とする。この場合、２ビットの指示情報の指示ルールはテーブル３に示すように、OFDM符号シリアルナンバーは“0”から始まる。例えば、“#0”は１つ目のOFDM符号を表し、２ビット“01”はR-PDSCHの符号スタート位置が1つ目のスロットの３つ目のOFDM符号であることを表し、“10”はR-PDSCHの符号スタート位置が1つ目のスロットの４つ目のOFDM符号であることを表すことが好ましい。図５は２ビット“01”の状況を示している。または、２ビット“10”はR-PDSCHの符号スタート位置が1つ目のスロットの３つ目のOFDM符号であることを表し、“11”はR-PDSCHの符号スタート位置が1つ目のスロットの４つ目のOFDM符号であることを表すことが好ましい。図５は２ビット“10”の状況を示す。
【００９１】
例えば、リレーノードは送信状態から受信状態へのスイッチング、またはアクセスリンクの制御領域からリレーリンクへのスイッチングにより、スイッチング境界位置におけるOFDM符号に使用不能となるものがない場合、図８に示すように、リレーリンクの２つ目か３つ目のOFDM符号はリレーノードにとって、送信状態から受信状態にへのスイッチング、またはアクセスリンクの制御領域からリレーリンクへのスイッチングに用いられないため、この場合、２ビット指示情報の指示ルールはテーブル４に示すように、OFDM符号シリアルナンバーは“0”から始まる。例えば、“#0”は1つ目のOFDM符号を表す。“N/A”はリレーノードが送信状態から受信状態へのスイッチング、またはアクセスリンクの制御領域からリレーリンクへのスイッチングにより、スイッチング境界位置におけるOFDM符号は使用不能とならないことを表す。２ビット“00”はR-PDSCHの符号スタート位置が1つ目のスロットの２つ目のOFDM符号であることを表し、“01”はR-PDSCHの符号スタート位置が1つ目のスロットの３つ目のOFDM符号であることを表し、“10”はR-PDSCHの符号スタート位置が1つ目のスロットの４つ目のOFDM符号であることを表すことが好ましい。図８が２ビット“00”の状況を示す（あるいは、２ビット“01”はR-PDSCHの符号スタート位置が1つ目のスロットの２つ目のOFDM符号であることを表し、“10”はR-PDSCHの符号スタート位置が1つ目のスロットの３つ目のOFDM符号であることを表し、“11”はR-PDSCHの符号スタート位置が1つ目のスロットの４つ目のOFDM符号であることを表すことが好ましい。図８は２ビット“01”の状況を示す。）。
【００９２】
要するに、２ビット“00”はR-PDSCHの符号スタート位置が1つ目のスロットの２つ目のOFDM符号（ナンバー#1のOFDM符号）を表し、“01”はR-PDSCH符号のスタート位置が1つ目のスロットの３つ目のOFDM符号（ナンバーは#2のOFDM符号）を表し、“10”はR-PDSCHのスタート位置が1つ目のスロットの４つ目のOFDM符号（ナンバーは#３のOFDM符号）を表すことが好ましい。または、２ビット“01”はR-PDSCHの符号スタート位置が1つ目のスロットの２つ目のOFDM符号（ナンバー#1のOFDM符号）を表し、“10”はR-PDSCH符号スタート位置が1つ目のスロットの３つ目のOFDM符号（ナンバーは#２のOFDM符号）を表し、“11”はR-PDSCH符号スタート位置が1つ目のスロットの４つ目のOFDM符号（ナンバーは#３のOFDM符号）を表すことが好ましい。
【００９３】
前記内容から、本発明の実施例で提供した方法は、以下の利点を有する。リレーリンクのバウンダリーを指示することにより、基地局からリレーノードまでのリンクに好調に適用でき、シグナリングのオーバーヘッドを減少し、リレーリンクのリソースの利用率を向上する。それで、後方互換性（LTEシステムと互換）も確保でき、リレーリンクのバウンダリーの指示問題も解決できる。
【００９４】
当業者であれば、前記本発明の各モジュールや各手順は、通常のコンピューター装置で実現でき、それらは一つのコンピューター装置に集中させ、または複数のコンピューター装置で構成されるネットワークに分布させ、または、コンピューター装置にある実行可能なプログラムコードで実行でき、それにより、メモリーストレージに保存してコンピューター装置で実行でき、また、場合によっては、それぞれ各ICモジュールに作成、又は、複数のモジュールや手順を一つのICモジュールに作成して実行でき、本発明は特定のハードウェア・ソフトウェアの結合に限定されないことは自明であろう。
【００９５】
前記は本発明の好適な実施例であり、本発明を限定するものではない。当業者なら、本発明に様々な変更や修正が可能である。本発明の主旨及び原則から逸脱しない、全ての修正、同等置換、改良などは、本発明の保護範囲に属する。
【図１】
2013524582.tif 000018
【図２】
2013524582.tif 000019
【図３】
2013524582.tif 000020
【図４】
2013524582.tif 000021
【図５】
2013524582.tif 000022
【図６】
2013524582.tif 000023
【図７】
2013524582.tif 000024
【図８】
2013524582.tif 000025
【国際調査報告】
2013524582.tif 000026
2013524582.tif 000027
2013524582.tif 000028
2013524582.tif 000029